(57)【要約】  【課題】  顧客が修繕や加工にかかる費用の見積額を即座に知ることができるとともに、修繕・加工箇所を細かく指定して業者に注文を出すことができるような衣類修繕・加工料金見積システムを提供する。  【解決手段】  ポインティングデバイスを操作してメニューから加工の種類を選択し、着物イメージ７２、７３上の任意の位置を指定すると、その位置に前記加工の種類を示すマークが表示される。同一のマークを複数箇所に表示させたり、異なる加工の種類に対応する複数のマークを同時に表示させたりすることも可能である。このような操作を通じて、どの種類の修繕・加工を何箇所行う必要があるかという情報が得られる。こうして得られた情報と、予め定められた料金単価から、修繕・加工料金の見積額が計算される。【選択図】  図７
2005122313.tif 000002
【特許請求の範囲】
【請求項１】
ユーザにより操作される入力部、
情報を表示するための画面を有する表示部、
衣類のイメージを前記画面に表示する衣類イメージ表示部、
修繕・加工の種類をユーザに選択させるためのメニューを前記画面に表示するメニュー表示部、
前記入力部の所定の操作により前記メニューで修繕・加工の種類が選択されたときに、該修繕・加工の種類を記憶する記憶部、
前記入力部の所定の操作により前記衣類のイメージ上の位置が指定されたときに、該位置の座標を取得し、その位置に前記修繕・加工の種類を示すマークを表示するマーク表示部、及び、
修繕・加工の各種類に対応する各マークの表示数に基づいて修繕・加工料金の見積額を計算し、前記画面上に表示する料金計算部
を備えることを特徴とする衣類修繕・加工料金見積システム。
【請求項２】
前記衣類のイメージ上に前記マークを表示して成る修繕・加工箇所指定イメージが印刷された修繕・加工依頼シートを印刷装置で出力するためのシート印刷部を更に備えることを特徴とする請求項１に記載の衣類修繕・加工料金見積システム。
【請求項３】
修繕・加工の注文に必要な注文情報をユーザに入力させるためのユーザ情報入力部、及び、データ通信ネットワークを通じて前記注文情報、選択された修繕・加工の種類、及び、各修繕・加工の対象箇所を示す位置情報を所定の受注用サーバ宛に送信する情報送信部を更に備えることを特徴とする請求項２に記載の衣類修繕・加工料金見積システム。
【請求項４】
ユーザにより操作される入力部、及び、情報を視覚的に出力するための画面を有する表示部を備えるコンピュータを、請求項１〜３のいずれかに記載の衣類修繕・加工料金見積システムとして動作させる衣類修繕・加工料金見積プログラム。
【請求項５】
請求項４に記載の衣類修繕・加工料金見積プログラムを保存した記憶装置を備え、データ通信ネットワークを通じて他のコンピュータから所定の要求を受け取った時、前記衣類修繕・加工料金見積プログラムを前記記憶装置から読み出して前記他のコンピュータに送信することを特徴とする衣類修繕・加工料金見積プログラム配信用サーバ。
【発明の詳細な説明】
【技術分野】
【０００１】
本発明は、衣類の修繕や加工にかかる料金の見積額を計算するための衣類修繕・加工料金見積システム、衣類修繕・加工料金見積プログラム及び衣類修繕・加工料金見積プログラム配信用サーバに関する。
【背景技術】
【０００２】
物品の修繕・加工に係る費用の見積を行う際、一般に、修繕・加工の種類の指定や修繕・加工箇所の指定が必要となる。このような類の見積を行うシステムの一例として、特許文献１に記載の「自動車の鈑金塗装見積システム」が挙げられる。このシステムでは、ＰＤＡ等の携帯情報端末機の画面に車両画像が表示される。この画像上でペンなどを使って車体部位を指定し、塗料や塗料膜などを選ぶと、見積額が計算される。
【０００３】
また、別の例として、特許文献２に記載の「携帯機器の修理見積システム」がある。このシステムでは、端末の画面上にカメラの概観図がクリッカブルマップとして表示される。この概観図上で故障箇所をクリックすると、クリックされた位置の座標および概観図ＩＤが見積サーバに送信される。見積サーバはこれらの情報からカメラの故障箇所（例、ズームレンズ、シャッターボタン等）を特定し、その箇所に対応する故障箇所診断ページを作成する。
【０００４】
修理費用の見積に関する更に別の発明例として、特許文献３に記載の「自動車修理費用見積り依頼シート」がある。このシートは、ＰＰＣ用紙等から成る矩形状の用紙に車両の前方斜視図と後方斜視図を印刷したものである。依頼者はこの図に損傷箇所を記入し、ファクシミリ等で修理業者に送る。修理業者はこのシートの記入内容に基づいて修理費用の見積を行う。
【特許文献１】特開2002-318940号公報
【特許文献２】特開2003-223576号公報
【特許文献３】特開2000-79778号公報
【発明の開示】
【発明が解決しようとする課題】
【０００５】
前記のような従来技術を衣類の修繕・加工の見積に応用する場合、次のような問題が生じる。すなわち、特許文献１及び２に記載のシステムでは修繕・加工箇所を物品の構成要素単位で指定するのに対し、衣類の場合、シミ抜きやほつれ直し等、修繕・加工の種類によっては構成要素単位よりも細かく対象箇所を指定する必要がある。また、特許文献３に記載のシートでは、シートに印刷された図上で修繕・加工の対象箇所の細かい位置や大きさ等を指定することはできるものの、料金の見積額は自動的には計算されない。本発明はこのような課題を解決するために成されたものであり、その目的とするところは、顧客が修繕や加工にかかる費用の見積額を即座に知ることができるとともに、修繕・加工箇所を細かく指定して業者に注文を出すことができるような衣類修繕・加工料金見積システムを提供することにある。
【課題を解決するための手段】
【０００６】
上記課題を解決するために成された本発明に係る衣類修繕・加工料金見積システムは、
ユーザにより操作される入力部、
情報を表示するための画面を有する表示部、
衣類のイメージを前記画面に表示する衣類イメージ表示部、
修繕・加工の種類をユーザに選択させるためのメニューを前記画面に表示するメニュー表示部、
前記入力部の所定の操作により前記メニューで修繕・加工の種類が選択されたときに、該修繕・加工の種類を記憶する記憶部、
前記入力部の所定の操作により前記衣類のイメージ上の位置が指定されたときに、該位置の座標を取得し、その位置に前記修繕・加工の種類を示すマークを表示するマーク表示部、及び、
修繕・加工の各種類に対応する各マークの表示数に基づいて修繕・加工料金の見積額を計算し、前記画面上に表示する料金計算部
を備えることを特徴とする。
【０００７】
本発明に係る衣類修繕・加工料金見積システムは、対象箇所の指定が必要な種類の修繕・加工の料金の見積額を計算するものである。このシステムでは、修繕・加工の種類を選択するためのメニューと修繕・加工の対象箇所を指定するための衣類のイメージが、表示装置の画面上に表示される。
【０００８】
本発明に係るシステムを使用するには、まず入力部（キーボード、ポインティングデバイス等）を所定の方法で操作することにより、メニューから修繕・加工の種類を選択するとともに、衣類のイメージ上の任意の位置を指定する。この位置指定操作を行うと、選択中の修繕・加工の種類を示すマークがその位置に表示される。同様にして複数の位置を次々に指定することにより、衣類イメージ上に同一種類のマークを複数表示させることもできる。また、複数種類の修繕・加工を次々に選択することにより、複数種類の修繕・加工に対応する複数種類のマークを衣類イメージ上に同時に表示させることもできる。このような操作を通じて、どの種類の修繕・加工を何箇所行う必要があるかという情報が得られる。こうして得られた情報と、予め定められた料金単価から、修繕・加工料金の見積額が計算される。
【０００９】
本発明に係るシステムにおいて、前記メニュー表示部は、対象箇所の指定が必要な種類の修繕・加工に加えて、対象箇所の指定が不要な種類の修繕・加工も選択できるメニューを前記画面に表示し、前記料金計算部は両方の種類の修繕・加工料金の見積額を計算するようにしてもよい。これにより、様々な種類の修繕・加工の料金見積に対応することができる。
【００１０】
本発明に係るシステムにおいて、前記衣類のイメージ上に前記マークを表示して成る修繕・加工箇所指定イメージが印刷された修繕・加工依頼シートを印刷装置で出力するためのシート印刷部を更に設けてもよい。印刷されたシートは衣類の現品を修繕・加工業者に送る際の注文書として利用できる。
【００１１】
本発明に係るシステムにおいて、修繕・加工の注文に必要な注文情報をユーザに入力させるためのユーザ情報入力部、及び、データ通信ネットワークを通じて前記注文情報、選択された修繕・加工の種類、及び、各修繕・加工の対象箇所を示す位置情報を所定の受注用サーバ宛に送信する情報送信部を更に設けてもよい。注文情報の例としては、ユーザの氏名、住所、電子メールアドレス、希望納期等が挙げられる。
【００１２】
本発明に係る衣類修繕・加工料金見積プログラムは、ユーザにより操作される入力部、及び、情報を視覚的に出力するための画面を有する表示部を備えるコンピュータを、前記衣類修繕・加工料金見積システムとして動作させることを特徴とする。
【００１３】
本発明に係る衣類修繕・加工料金見積プログラム配信サーバは、前記衣類修繕・加工料金見積プログラムを保存した記憶装置を備え、データ通信ネットワークを通じて他のコンピュータから所定の要求を受け取った時、前記衣類修繕・加工料金見積プログラムを前記記憶装置から読み出して前記他のコンピュータに送信することを特徴とする。
【発明の効果】
【００１４】
本発明に係る衣類修繕・加工料金見積システムによれば、画面上に表示された衣類のイメージ上で修繕・加工箇所を指定するだけで、その修繕・加工にかかる費用の見積額が自動的に計算される。これにより、顧客の負担が軽減される。また、衣類のイメージ上で顧客自身が修繕・加工箇所を指定するため、修繕・加工業者側にとっては、どの箇所を対象とするかが明確となる。従って、例えば顧客が所望していない箇所まで誤って修繕・加工してしまうといった問題がなくなる。また、修繕・加工箇所は衣類の部位毎ではなくより細かい位置まで指定できるため、業者側で現品の修繕・加工箇所を特定することも容易である。
【００１５】
また、修繕・加工依頼シートを自動生成して印刷するようにすれば、そのシートを注文書として衣類の現品に添付し、すぐに修繕・加工業者に送ることができる。また、現品を発送する前に前記シートを業者にファクシミリ等で送り、内容を事前に確認してもらうこともできる。
【００１６】
また、注文情報や加工関連情報（修繕・加工の種類と対象箇所の位置）をデータ通信ネットワーク経由で受注サーバに送信するようにすれば、受注管理や顧客管理が効率化される。更に、必要に応じて業者側から顧客に直接連絡を取り、着物の現品の発送前に衣類の状態等について詳しい情報を得ることもできる。
【発明を実施するための最良の形態】
【００１７】
本発明の一実施形態である着物加工依頼システム（以下、本システムとする）について説明する。なお、本実施形態において「加工」とは、例えばシミ抜きやほつれ直しといった「修繕」に相当する処理も含むものとする。
【００１８】
図１に本システムの概略構成を示す。本システムは、いずれもデータ通信ネットワーク１０に接続されたコンピュータであるサーバ１２、顧客端末１４及び加工業者端末１６を含む。
【００１９】
サーバ１２は、それぞれ所定のプログラムを実行することによりソフトウェア的に構成された機能部であるＷｅｂサーバ１２ａ、メールサーバ１２ｂ及び受注管理部１２ｃを備えている。また、サーバ１２はハードディスクや半導体メモリ等から成る記憶装置１３を備えており、ここに、サイトデータ保存部１３ａ及び受注データベース１３ｂが作成されている。サイトデータ保存部１３ａには、本システムにより提供されるサービスを利用するためのインタフェースとなるＷｅｂサイトの各ページを構成するデータ（ＨＴＭＬ文書、画像、スクリプト、プログラム等）が保存されている。
【００２０】
顧客端末１４は、キーボード１４ａ、ポインティングデバイス１４ｂ、液晶ディスプレイ１４ｃ等を備えるパーソナルコンピュータで、これにプリンタ１４ｄが接続されている。顧客端末１４は、所定のプログラムを動作させることによりソフトウェア的に構成された機能部であるＷｅｂブラウザ１４ｅ（以下、ブラウザ１４ｅ）を備えている。
【００２１】
加工業者端末１６は、キーボード１６ａ、ポインティングデバイス１６ｂ、液晶ディスプレイ１６ｃ等を備えるパーソナルコンピュータである。加工業者端末１６は、それぞれ所定のプログラムを動作させることによりソフトウェア的に構成された機能部であるＷｅｂブラウザ１６ｄ（以下、ブラウザ１６ｄ）及び電子メールクライアント１６ｅ（以下、メーラ１６ｅ）を備えている。
【００２２】
本システムによる着物の加工料金の見積及び加工の依頼は次のような手順で行われる。
【００２３】
まず、顧客が顧客端末１４のブラウザ１４ｅを用いてＷｅｂサーバ１２ａに見積用Ｗｅｂサイトの閲覧要求を送信する。この要求を受けたＷｅｂサーバ１２ａはＷｅｂサイトデータ保存部１３ａから必要なデータ（ＨＴＭＬ文書、画像、スクリプト、プログラム等）を読み出してブラウザ１４ｅに送信する。このとき、サーバ１２上でスクリプトやプログラムを実行し、その結果として得られるデータをブラウザ１４ｅに送信するようにしてもよい。前記データを受け取ったブラウザ１４ｅは、そのデータを解析し、顧客端末１４の液晶ディスプレイ１４ｃの画面上に見積用Ｗｅｂサイトのトップページを表示する。図２に本実施形態における見積用Ｗｅｂサイトのトップページを示す。トップページでは、見積と注文受付の概略フローが説明されている。
【００２４】
トップページにある「見積開始」ボタン２１を押すと、所定のプログラムがＷｅｂサーバ１２ａからブラウザ１４ｅに送信される。このプログラムは、例えば、Ｆｌａｓｈ（登録商標）やＪａｖａ（登録商標）アプレット等のようにブラウザ１４ｅで実行可能な形式で作成しておく。ブラウザ１４ｅがこのプログラムを実行すると、見積・加工依頼処理が以下のような手順で実行される。
【００２５】
ステップ１．着物の種類の選択
このステップでは、図３に示したような画面で着物の種類を選択する。着物の種類は、「振袖」「留袖」等の１２個の選択肢からラジオボタン３０で選択する。予め用意された選択肢の中に該当するものがない場合、「その他」を選ぶとともにテキスト入力欄３１に着物の種類を具体的に記入する。着物の種類を選択した後、「次へ」ボタン３２を押すと、選択された着物の種類が顧客端末１４のメモリに記憶され、処理はステップ２に進む。
【００２６】
ステップ２．着物の状態の選択
このステップでは、図４に示したような画面で着物の状態を選択する。着物の状態は、「仕立て上り袷」「仕立て上り単」「反物（丸巻）」及び「仮絵羽」からラジオボタン４０で選択する。着物の状態を選択した後、「次へ」ボタン４１を押すと、選択された着物の状態が顧客端末１４のメモリに記憶され、処理はステップ３に進む。
【００２７】
ステップ３．加工の種類を選択
このステップでは、図５〜図７に示したような画面で加工の種類を選択する。加工の種類の選択は以下の３段階で行われる。
【００２８】
ステップ３−１．対象箇所の指定が不要な種類の加工の選択
このステップでは、図５に示したような画面で、対象箇所の指定が不要な種類の加工の選択を行う。加工の種類は、「丸洗い」「洗い張り」等の９個の選択肢からチェックボックス５０で選択する。チェックボックス５０は複数選択が可能である。なお、「ゆのし」及び「地入れ」はステップ２で「反物」か「仮絵羽」が選択された場合のみ選択可能である。予め用意された選択肢の中に該当するものがない場合、「その他」を選ぶとともにテキスト入力欄５１に加工の種類を具体的に記入する。着物の種類を選択した後、「次へ」ボタン５２を押すと、選択された加工の種類が顧客端末１４のメモリに記憶され、処理は次のステップに進む。なお、チェックボックス５０に全くチェックを入れずに「次へ」ボタン５２を押してもよい。
【００２９】
ステップ３−２．寸法直しの種類と寸法の指定
ステップ３−１で「寸法直し」が選択された場合、処理はこのステップに進み、寸法直しの種類と寸法の指定を行うための画面が表示される（図６）。この画面で顧客は、「裄直し」「袖丈直し」「身丈直し」及び「身巾直し」のいずれかをラジオボタン６０で選択すると共に、選択したラジオボタンに対応する寸法入力欄６１に希望の寸法を入力する。寸法直しの種類と寸法の入力が終わった後、「次へ」ボタン６２を押すと、寸法直しの種類とその寸法が顧客端末１４のメモリに記憶され、処理はステップ３−３に進む。
【００３０】
ステップ３−３．対象箇所の指定が必要な種類の加工の選択
ステップ３−１で「寸法直し」が選択されなかった場合、あるいはステップ３−２で「次へ」ボタン６２を押すと、図７に示したような画面が表示される。この画面では、対象箇所の指定が必要な種類の加工の選択を行う。加工の種類としては、「シミ抜き」「黄変抜き」等の８個の選択肢がボタン形式で選択メニュー７１に表示されている。選択メニュー７１の下には着物の正面イメージ７２と背面イメージ７３が表示されている。この画面において、顧客は、ポインティングデバイスを用いて以下のような操作を行う。
（操作１）希望する加工の種類を選択する。具体的には、ポインタを希望の種類の上に配置した状態で、ポインティングデバイスによる所定操作（例えばクリック操作）を行う。
（操作２）選択した加工を行うべき箇所を着物イメージ７２又は７３上で指定する。具体的には、ポインタを前記箇所に配置した状態で、ポインティングデバイスによる所定操作（例えばクリック操作）を行う。
【００３１】
操作２を行うと、ポインタが操作された位置に前記加工の種類を示すマークが表示される。例えば、図７の符号７４１は「金加工」のマークである。操作２を繰り返すことにより、同じマーク７４１を着物イメージ７２、７３上の複数箇所に表示させることもできる。画面上でマーク７４１が新たに追加される度に、選択メニュー７１のボタンに表示されたカウント値が１ずつ増加する。その後、再び操作１により別の種類の加工を選択してから上述のように操作２を行えば、当該別の加工の種類を示すマークが着物イメージ７２又は７３に表示される。例えば、図７の符号７４２は「シミ抜き」のマークである。以上のようにして、顧客は、加工の種類と加工対象箇所を画面上の着物イメージにより確認しながら、希望する加工の種類の選択と加工対象箇所の指定を行う。
【００３２】
着物イメージ７２又は７３上に表示されたいずれかのマークを削除したい場合は、そのマークを選択して「取消」ボタン７５を押す。また、着物全体を対象としたい場合や、対象箇所が広範囲にわたる場合は、該当する加工の種類を選択した状態で「全体」ボタン７６を押す。
【００３３】
なお、ステップ３−２で寸法直しの設定を行った場合、符号７７で示したように寸法直しの対象箇所が矢印で示される。この矢印により、顧客は、どの箇所が寸法直しの対象となっているかを目視確認し、必要があれば「戻る」ボタン７８を押してステップ３−２の画面に戻って設定を変更する。これにより、着物の各部の名称をよく知らない顧客でも寸法直しの対象箇所を間違えることがなくなる。
【００３４】
以上の作業が完了した後、「次へ」ボタン７９を押すと、選択された加工の種類、カウント値及び各マークの表示位置座標が顧客端末１４のメモリに記憶され、処理はステップ４に進む。
【００３５】
ステップ４．注文内容と見積額の確認
このステップでは注文内容と加工料金の見積額が図８に示したように画面上に表示される。見積額は、ステップ３−１（図５）〜ステップ３−３（図７）において選択された加工の種類の内容に基づいて計算される。例えば、いまの例では、「丸洗い」「安心ガード加工」「寸法直し（裄直し）」「シミ抜き」（１箇所）及び「金加工」（３箇所）が選択されており、これらの加工にかかる料金が見積金額として提示される。なお、見積に必要な料金データベースは予めプログラムに組み込んでおいてもよいし、計算時にプログラムが料金計算に必要なデータをサーバから取得するようにしてもよい。「備考」欄８１には、加工に関する希望、注意事項などを記入することができる。なお、ステップ１で「その他」を選択した場合、加工料金の見積額は計算されない。また、ステップ３−１で「染め替え」又は「その他」を選択した場合、「染め替え」「その他」については料金の見積額は計算されず、その他の加工にかかる料金の見積額のみ参考金額として計算される。注文内容を変更したい場合は「戻る」ボタン８２を押すことにより前の画面に戻ることができる。注文内容に問題がないことを確認した後、「次へ」ボタン８３を押すと、見積金額及び「備考」欄８１の入力情報が顧客端末１４のメモリに記憶され、処理はステップ５に進む。
【００３６】
ステップ５．顧客情報等の入力
このステップでは、図９に示したような画面で、氏名、住所、電話番号、ファクシミリ番号、電子メールアドレス、希望納期、支払い方法の指定等、注文に必要な顧客情報を入力する。必要な情報を入力した後、「次へ」ボタン９１を押すと、入力情報が顧客端末１４のメモリに記憶され、処理はステップ６に進む。
【００３７】
ステップ６．加工依頼シートの印刷
ステップ６では、加工依頼シートの印刷を行う。まず、図１０に示したような画面で加工依頼シートの印刷に関する説明が表示される。この画面で「ＯＫ」ボタン１０１を押すと、図１１に示したように、加工依頼シートの印刷イメージが表示される。加工依頼シートには、顧客情報、注文内容、見積金額の他、ステップ３−３（図７）で作成した着物イメージ等の情報が表示される。表示された情報を変更したい場合は「印刷中止」ボタン１１１を押すことにより前の画面に戻ることができる。表示内容に問題がなければ「印刷開始」ボタン１１２を押す。これにより、プリンタ１４ｄで加工依頼シートが印刷される。なお、ボタン１１１、１１２は印刷対象外である。
【００３８】
ステップ７．注文情報のオンライン送信
加工依頼シートの印刷が完了すると、図１２に示したように、注文情報のオンライン送信の確認画面が表示される。「送信」ボタン１２１を押すと、顧客情報、注文情報等、図１２に示したような画面をサーバ１２側で再現するために必要な情報がサーバ１２の受注管理部１２ｃに送信される。なお、注文情報のオンライン送信は必須ではなく、不要な場合は「キャンセル」ボタン１２２を押すことにより送信を中止することができる。
【００３９】
顧客端末１４から注文情報を受け取ると、受注管理部１２ｃは新たな受注ＩＤを発行し、受け取った情報を受注データベース１３ｂに保存する。また、受注管理部１２ｃは、受注ＩＤ、注文の概要、詳細情報閲覧用ページのＵＲＬ等を記載した電子メールを作成し、メールサーバ１２ｂを通じて担当者の電子メール宛に送信する。また、顧客に対しては、前記受注ＩＤが顧客端末１４の画面上で通知される。
【００４０】
担当者は、加工業者端末１６のメーラ１６ｅで電子メールを受信し、その電子メールに記載されたＵＲＬにブラウザ１６ｄでアクセスすることにより、詳細情報閲覧用ページを閲覧する。詳細情報閲覧用ページでは、基本的に図１２の注文情報送信確認画面と同様の情報が表示される。この画面で担当者は注文内容を確認し、不明点等があれば直接顧客に問い合わせを行う。
【００４１】
ステップ８．現品発送
顧客は、ステップ６で印刷した加工依頼シートを添付して着物の現品を加工業者宛に発送する。着物を受け取った加工業者は、加工依頼シートに記載された注文に従って着物の加工を行う。
【００４２】
以上、本発明の一実施形態である着物加工料金見積システムについて詳細に説明したが、上記実施例はあくまで一例に過ぎず、様々な変更及び修正が可能であることは言うまでもない。
【００４３】
例えば、上記実施形態において、同じ種類の加工に対して着物の部位に応じて異なる料金を適用することも可能である。この場合、着物イメージを着物の各部位に対応する複数の領域に予め分割しておき、各領域に対して加工の種類毎に料金データを定めた料金データベースを作成しておく。加工料金の見積額の計算処理においては、ステップ３−３で指定された各マークの位置がどの領域に属するかを判定し、該当する領域に対応する料金データを適用する。
【００４４】
また、上記実施形態において、加工対象箇所の大きさに応じて衣類イメージ上のマークの大きさを変更できるようにしたり、対象箇所の大きさを示す数値を別途入力するための入力欄を設けたりすることも可能である。
【００４５】
また、本システムは着物以外の衣類の修繕・加工料金の見積額の計算にも応用することができる。この場合、衣類の種類に応じて修繕・加工メニューの内容や加工箇所指定用イメージが異なるものになることは言うまでもない。
【図面の簡単な説明】
【００４６】
【図１】本発明の一実施形態である着物加工依頼システムの概略構成図。
【図２】見積用Ｗｅｂサイトのトップページ。
【図３】着物の種類の選択画面。
【図４】着物の状態の選択画面。
【図５】対象箇所の指定が不要な種類の加工の選択画面。
【図６】寸法直しの種類と寸法の指定を行うための画面。
【図７】対象箇所の指定が必要な種類の加工の選択画面。
【図８】注文内容と加工料金の見積額の確認画面。
【図９】顧客情報等の入力画面。
【図１０】加工依頼シートの印刷に関する説明画面。
【図１１】加工依頼シートの印刷イメージの表示画面。
【図１２】注文情報のオンライン送信の確認画面。
【符号の説明】
【００４７】
１０…データ通信ネットワーク
１２…サーバ
１４…顧客端末
１４ｄ…プリンタ
１６…加工業者端末
【図１】
2005122313.tif 000003
【図２】
2005122313.tif 000004
【図３】
2005122313.tif 000005
【図４】
2005122313.tif 000006
【図５】
2005122313.tif 000007
【図６】
2005122313.tif 000008
【図７】
2005122313.tif 000009
【図８】
2005122313.tif 000010
【図９】
2005122313.tif 000011
【図１０】
2005122313.tif 000012
【図１１】
2005122313.tif 000013
【図１２】
2005122313.tif 000014